【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
ＩＰネットワークに接続されたＩＰ電話装置と、前記ＩＰ電話装置の利用者識別情報を登録し前記ＩＰ電話装置からの要求に応じて当該利用者識別情報を応答するデータベースサーバと、前記データベースサーバに登録された利用者識別情報へのリンク先がＵＲＩに指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、着信を受けたＩＰ電話装置は、発信側のＩＰ電話装置のＮＡＰＴＲリソースレコードを前記ＥＮＵＭサーバに問い合わせ、返送されたＮＡＰＴＲリソースレコードに応じて前記発信側のＩＰ電話装置の利用者識別情報を前記データベースサーバに要求することを特徴とするＩＰ電話システム。
【請求項２】
前記ＥＮＵＭサーバに登録されたＮＡＰＴＲリソースレコードには前記利用者識別情報を要求するための所定の転送プロトコルの種別が設定され、前記着信を受けたＩＰ電話装置は、前記所定の転送プロトコルに従って前記発信側のＩＰ電話装置の利用者識別情報を前記データベースサーバに要求することを特徴とする請求項１記載のＩＰ電話システム。
【請求項３】
前記ＩＰ電話装置は、前記ＥＮＵＭサーバから返送されたＮＡＰＴＲリソースレコードに前記所定の転送プロトコルの種別が設定されていない場合には、当該発信側のＩＰ電話装置との接続を拒否することを特徴とする請求項２記載のＩＰ電話システム。
【請求項４】
ＩＰネットワーク上のＩＰ電話装置の利用者識別情報を登録するデータベースサーバ及び前記データベースサーバに登録された利用者識別情報へのリンク先がＵＲＩに指定されたＮＡＰＴＲリソースレコードを登録するＥＮＵＭサーバに接続されたＩＰ電話装置であって、ＩＰネットワーク上の他のＩＰ電話装置から着信を受けると、当該発信側のＩＰ電話装置のＮＡＰＴＲリソースレコードを前記ＥＮＵＭサーバに問い合わせ、返送されたＮＡＰＴＲリソースレコードに応じて前記発信側のＩＰ電話装置の利用者識別情報を前記データベースサーバに要求することを特徴とするＩＰ電話装置。
【請求項５】
前記ＥＮＵＭサーバに登録されたＮＡＰＴＲリソースレコードに設定された前記利用者識別情報を要求するための所定の転送プロトコルに従って前記発信側のＩＰ電話装置の利用者識別情報を前記データベースサーバに要求することを特徴とする請求項４記載のＩＰ電話装置。
【請求項６】
前記ＥＮＵＭサーバから返送されたＮＡＰＴＲリソースレコードに前記所定の転送プロトコルの種別が設定されていない場合には、当該発信側のＩＰ電話装置との接続を拒否することを特徴とする請求項５記載のＩＰ電話装置。
【請求項７】
ＩＰネットワーク上のＩＰ電話装置の利用者識別情報を登録するデータベースサーバ及び前記データベースサーバに登録された利用者識別情報へのリンク先がＵＲＩに指定されたＮＡＰＴＲリソースレコードを登録するＥＮＵＭサーバに接続されたＩＰ電話装置を用いた通話方法であって、ＩＰネットワーク上の他のＩＰ電話装置から着信を受けると、当該発信側のＩＰ電話装置のＮＡＰＴＲリソースレコードを前記ＥＮＵＭサーバに問い合わせ、返送されたＮＡＰＴＲリソースレコードに応じて前記発信側のＩＰ電話装置の利用者識別情報を前記データベースサーバに要求し、当該利用者識別情報に基づくオペレータの指示に応じて当該発信側のＩＰ電話装置との接続を決定することを特徴とする通話方法。
【請求項８】
前記ＥＮＵＭサーバに登録されたＮＡＰＴＲリソースレコードに設定された前記利用者識別情報を要求するための所定の転送プロトコルに従って前記発信側のＩＰ電話装置の利用者識別情報を前記データベースサーバに要求することを特徴とする請求項７記載の通話方法。
【請求項９】
前記ＥＮＵＭサーバから返送されたＮＡＰＴＲリソースレコードに前記所定の転送プロトコルの種別が設定されていない場合には、当該発信側のＩＰ電話装置との接続を拒否することを特徴とする請求項８記載の通話方法。
【手続補正２】
【補正対象書類名】明細書
【補正対象項目名】００１１
【補正方法】変更
【補正の内容】
【００１１】
本発明の第２の態様は、第１の態様に係るＩＰ電話システムにおいて、前記ＥＮＵＭサーバに登録されたＮＡＰＴＲリソースレコードには前記利用者識別情報を要求するための所定の転送プロトコルの種別が設定され、前記着信を受けたＩＰ電話装置は、前記所定の転送プロトコルに従って前記発信側のＩＰ電話装置の利用者識別情報を前記データベースサーバに要求する構成を採る。
【手続補正３】
【補正対象書類名】明細書
【補正対象項目名】００１３
【補正方法】変更
【補正の内容】
【００１３】
本発明の第３の態様は、第２の態様に係るＩＰ電話システムにおいて、前記ＩＰ電話装置は、前記ＥＮＵＭサーバから返送されたＮＡＰＴＲリソースレコードに前記所定の転送プロトコルの種別が設定されていない場合には、当該発信側のＩＰ電話装置との接続を拒否する構成を採る。
【手続補正４】
【補正対象書類名】明細書
【補正対象項目名】００１４
【補正方法】変更
【補正の内容】
【００１４】
この構成によれば、ＥＮＵＭサーバから返送されたＮＡＰＴＲリソースレコードに利用者識別情報を要求するための所定の転送プロトコルの種別が設定されていない場合には、当該発信側のＩＰ電話装置との接続が拒否される。したがって、ＥＮＵＭサーバに登録されるＮＡＰＴＲリソースレコードに予め利用者識別情報を要求するための所定の転送プロトコルの種別を設定していない発信側のＩＰ電話装置からの着信を自動的に拒否することができる。
【手続補正５】
【補正対象書類名】明細書
【補正対象項目名】００１７
【補正方法】変更
【補正の内容】
【００１７】
本発明の第５の態様は、第４の態様に係るＩＰ電話装置において、前記ＥＮＵＭサーバに登録されたＮＡＰＴＲリソースレコードに設定された前記利用者識別情報を要求するための所定の転送プロトコルに従って前記発信側のＩＰ電話装置の利用者識別情報を前記データベースサーバに要求する構成を採る。
【手続補正６】
【補正対象書類名】明細書
【補正対象項目名】００１９
【補正方法】変更
【補正の内容】
【００１９】
本発明の第６の態様は、第５の態様に係るＩＰ電話装置において、前記ＥＮＵＭサーバから返送されたＮＡＰＴＲリソースレコードに前記所定の転送プロトコルの種別が設定されていない場合には、当該発信側のＩＰ電話装置との接続を拒否する構成を採る。
【手続補正７】
【補正対象書類名】明細書
【補正対象項目名】００２０
【補正方法】変更
【補正の内容】
【００２０】
この構成によれば、ＥＮＵＭサーバから返送されたＮＡＰＴＲリソースレコードに利用者識別情報を要求するための所定の転送プロトコルの種別が設定されていない場合には、当該発信側のＩＰ電話装置との接続が拒否される。したがって、ＥＮＵＭサーバに登録されるＮＡＰＴＲリソースレコードに予め利用者識別情報を要求するための所定の転送プロトコルの種別を設定していない発信側のＩＰ電話装置からの着信を自動的に拒否することができる。
【手続補正８】
【補正対象書類名】明細書
【補正対象項目名】００２３
【補正方法】変更
【補正の内容】
【００２３】
本発明の第８の態様は、第７の態様に係る通話方法において、前記ＥＮＵＭサーバに登録されたＮＡＰＴＲリソースレコードに設定された前記利用者識別情報を要求するための所定の転送プロトコルに従って前記発信側のＩＰ電話装置の利用者識別情報を前記データベースサーバに要求するものである。
【手続補正９】
【補正対象書類名】明細書
【補正対象項目名】００２５
【補正方法】変更
【補正の内容】
【００２５】
本発明の第９の態様は、第８の態様に係る通話方法において、前記ＥＮＵＭサーバから返送されたＮＡＰＴＲリソースレコードに前記所定の転送プロトコルの種別が設定されていない場合には、当該発信側のＩＰ電話装置との接続を拒否するものである。
【手続補正１０】
【補正対象書類名】明細書
【補正対象項目名】００２６
【補正方法】変更
【補正の内容】
【００２６】
この方法によれば、ＥＮＵＭサーバから返送されたＮＡＰＴＲリソースレコードに利用者識別情報を要求するための所定の転送プロトコルの種別が設定されていない場合には、当該発信側のＩＰ電話装置との接続が拒否される。したがって、ＥＮＵＭサーバに登録されるＮＡＰＴＲリソースレコードに予め利用者識別情報を要求するための所定の転送プロトコルの種別を設定していない発信側のＩＰ電話装置からの着信を自動的に拒否することができる。
【手続補正１１】
【補正対象書類名】明細書
【補正対象項目名】００４８
【補正方法】変更
【補正の内容】
【００４８】
同図においては、電話番号「０３１０００００００」から得られるドメイン名「０．０．０．０．０．０．０．１．３．１．８．ｅ１６４．ａｒｐａ」に対してＵＲＩ「８１３１０００００００＠ｔｏｋｙｏ．ｓｉｐ．ｊｐ」及び「／／ｗｗｗ．ｔｏｋｙｏ．ｓｉｐ．ｃｏｍ／ｕｓｅｒ８１３１０００００００．ｈｔｍｌ」が対応付けられている。前者のＳｅｒｖｉｃｅフィールドにはＳＩＰプロトコルに対応可能であることを示す「Ｅ２Ｕ＋ｓｉｐ」と記述され、後者のＳｅｒｖｉｃｅフィールドにはｈｔｔｐプロトコルに対応可能である旨を示す「Ｅ２Ｕ＋ｈｔｔｐ」と記述されている。
【手続補正１２】
【補正対象書類名】明細書
【補正対象項目名】００４９
【補正方法】変更
【補正の内容】
【００４９】
また、電話番号「０３１００００００１」から得られるドメイン名「１．０．０．０．０．０．０．１．３．１．８．ｅ１６４．ａｒｐａ」に対してＵＲＩ「８１３１００００００１＠ｔｏｋｙｏ．ｓｉｐ．ｊｐ」及び「／／ｗｗｗ．ｔｏｋｙｏ．ｓｉｐ．ｃｏｍ／ｕｓｅｒ８１３１００００００１．ｈｔｍｌ」が対応付けられている。前者のＳｅｒｖｉｃｅフィールドにはＳＩＰプロトコルに対応可能であることを示す「Ｅ２Ｕ＋ｓｉｐ」と記述され、後者のＳｅｒｖｉｃｅフィールドにはｈｔｔｐプロトコルに対応可能である旨を示す「Ｅ２Ｕ＋ｈｔｔｐ」と記述されている。
【手続補正１３】
【補正対象書類名】明細書
【補正対象項目名】００５８
【補正方法】変更
【補正の内容】
【００５８】
ＥＮＵＭクエリーを受け付けると、ＥＮＵＭサーバ１０３は、ドメイン名である「１．０．０．０．０．０．０．１．３．１．８．ｅ１６４．ａｒｐａ」に対応するＮＡＰＴＲレコードを検索し、当該ＮＡＰＴＲレコードを含むＥＮＵＭ応答をＩＰ電話１０１に返信する（ＳＴ８０２）。この場合、ＥＮＵＭサーバ１０３は、図５に示すＮＡＰＴＲレコードのうち、下側のドメイン名に属するＮＡＰＴＲレコードを検索し、当該ＮＡＰＴＲレコードを含むＥＮＵＭ応答をＩＰ電話１０１に返信する。このＥＮＵＭ応答がＩＰ電話１０１に返信されることで、ＩＰ電話１０２がＳＩＰプロトコルに対応可能である旨、ｈｔｔｐプロトコルに対応可能である旨がＩＰ電話１０１に通知されることとなる。
【手続補正１４】
【補正対象書類名】明細書
【補正対象項目名】００６８
【補正方法】変更
【補正の内容】
【００６８】
ＥＮＵＭクエリーを受け付けると、ＥＮＵＭサーバ１０３は、ドメイン名である「０．０．０．０．０．０．０．１．３．１．８．ｅ１６４．ａｒｐａ」に対応するＮＡＰＴＲレコードを検索し、当該ＮＡＰＴＲレコードを含むＥＮＵＭ応答をＩＰ電話１０２に返信する（ＳＴ８０７）。この場合、ＥＮＵＭサーバ１０３は、図５に示すＮＡＰＴＲレコードのうち、上側のドメイン名に属するＮＡＰＴＲレコードを検索し、当該ＮＡＰＴＲレコードを含むＥＮＵＭ応答をＩＰ電話１０２に返信する。このＥＮＵＭ応答がＩＰ電話１０２に返信されることで、ＩＰ電話１０１がＳＩＰプロトコルに対応可能である旨、ｈｔｔｐプロトコルに対応可能である旨がＩＰ電話１０２に通知されることとなる。
【手続補正１５】
【補正対象書類名】明細書
【補正対象項目名】００７６
【補正方法】変更
【補正の内容】
【００７６】
ｈｔｔｐプロトコルに対応可能である旨を示すＮＡＰＴＲレコードがある場合には、ＩＰ電話１０２は、そのＮＡＰＴＲレコードに指定されたＵＲＩ（ＵＲＬ）に応じてＷｅｂサーバ１０５にアクセスし、発信者情報を要求する（ＳＴ１００６）。この要求に応じてＷｅｂサーバ１０５から発信者情報が返送されてくる。これにより、ＩＰ電話１０２は、発信者情報を取得する（ＳＴ１００７）。
【手続補正１６】
【補正対象書類名】明細書
【補正対象項目名】００７９
【補正方法】変更
【補正の内容】
【００７９】
なお、ＳＴ１００５の判断において、ｈｔｔｐプロトコルに対応可能である旨を示すＮＡＰＴＲレコードがない場合、ＩＰ電話１０２は、発信側のＩＰ電話１０１に対して接続できない旨を示す「４８６ＢＵＳＹ」メッセージを送出し（ＳＴ１０１２）、処理を終了する。発信側のＩＰ電話１０１においては、この「４８６ＢＵＳＹ」メッセージを受信すると、通話失敗と判断し発呼処理を終了する。
【手続補正１７】
【補正対象書類名】明細書
【補正対象項目名】０１００
【補正方法】変更
【補正の内容】
【０１００】
図１４に示すシーケンスにおいては、「ＩＮＶＩＴＥ」メッセージの代わりに「ＳＥＴＵＰ」メッセージを監視する点（ＳＴ１４０１）、オペレータからオフフックを受け付けた場合に「２００ＯＫ」メッセージを送出する代わりに「Ｃｏｎｎｅｃｔ」メッセージを送出する点（ＳＴ１４０２）、「Ｃｏｎｎｅｃｔ」メッセージを送出した後にＨ．２４５手順によるネゴシエーションを行う点（ＳＴ１４０３）及びＳＴ１００５の判断においてｈｔｔｐプロトコルに対応可能である旨を示すＮＡＰＴＲレコードがない場合に「Ｒｅｌｅａｓｅ  Ｃｏｍｐｌｅｔｅ」メッセージを送出する点（ＳＴ１４０４）において、図１０に示す動作フローと相違する。